(57)【要約】【課題】人間にとって使いやすいリモコンを提供することを目的とする。【解決手段】ネットワークによって接続された複数のデバイスを制御するリモコンの制御装置であって、ネットワークで接続された複数のデバイスの中からデバイスの条件とリモコンの条件によってリモコンで操作できる対象のデバイスを選定する手段と、選定の結果に応じて制御状態を変化させる手段とを備えたことを特徴とする制御装置等を提供する。【選択図】図１
2007282044.tif 000002
【特許請求の範囲】
【請求項１】
ネットワークによって接続された複数のデバイスを制御するリモコンの制御装置であって、
前記ネットワークで接続された前記複数のデバイスの中から、前記デバイスの条件と前記リモコンの条件とにより前記リモコンで操作できる対象の前記デバイスを選定する選定手段と、
前記選定の結果に応じて制御状態を変化させる制御手段と
を備えたことを特徴とする制御装置。
【請求項２】
前記制御状態とは、リモコン上のＧＵＩであることを特徴とする請求項１に記載の制御装置。
【請求項３】
前記制御状態とは、リモコン上のＧＵＩを操作したときに制御対象となる前記デバイスを選定する状態であることを特徴とする請求項１に記載の制御装置。
【請求項４】
前記デバイスは、当該デバイスの位置を検出する第１の位置検出装置を有しており、
前記デバイス条件は、前記デバイスの位置、性能、及び状態であることを特徴とする請求項１に記載の制御装置。
【請求項５】
前記リモコンは、当該リモコンの位置を検出する第２の位置検出装置を有しており、
前記リモコンの条件は、前記リモコンと前記デバイスとの位置関係であることを特徴とする請求項１に記載の制御装置。
【請求項６】
前記リモコンの条件は前記リモコンが有するＧＵＩであり、前記リモコンが有するＧＵＩの条件に一致した前記デバイスの位置、性能、及び状態の前記デバイスが検出することを特徴とする請求項１に記載の制御装置。
【請求項７】
ネットワークによって接続された複数のデバイスを制御するリモコンの制御方法であって、
前記ネットワークで接続された前記複数のデバイスの中から前記デバイスの条件と前記リモコンの条件とによって前記リモコンで操作できる対象の前記デバイスを選定する工程と、
前記選定の結果に応じて制御状態を変化させる工程と
を備えたことを特徴とする制御方法。
【請求項８】
請求項７に記載の制御方法の各工程をコンピュータに実行させるためのプログラム。
【発明の詳細な説明】
【技術分野】
【０００１】
本発明は、ネットワーク上の複数のデバイスを制御する制御装置、方法及びプログラムに関する。
【背景技術】
【０００２】
従来、ホームの中で使用するテレビ、ビデオレコーダー、照明器具、エアコン、照明など様々なデバイスが開発され、これらをＰＣとともにネットワークに接続し、統括的に制御しようとされてきている。接続されたデバイスを一括して制御できることは大変便利なことである。
【０００３】
しかしながら、接続の為の設定は、１つ１つのデバイスごとにＩＰアドレスという番号を割り当てて管理しなければならないという煩わしさがあった。また、ネットワークにＰＣや制御装置やデバイスを接続する際に電源のＯＮ／ＯＦＦを行わなければならないなどの煩わしさがあった。
【０００４】
近年登場したＵＰｎＰ（Ｕｎｉｖｅｒｓａｌ Ｐｌｕｇ ａｎｄ Ｐｌａｙ）技術によりこれらのわずらわしさが一掃されようとしている。ＵＰｎＰによれば、アドレッシングによりデバイスおよびコントロールポイントのアドレスは自動的に付与される為、アドレスの手動管理などが不要となる。従って、ディスカバリなどにより電源を入れた状態でネットワークに接続、切断が可能となる。
【０００５】
デバイスや制御装置は、ＰＣレスで全て対等に、容易にネットワークに接続し、切断が可能となる。
ところが、ＵＰｎＰによるホームネットワークでは、デバイス接続が容易になることから、家にあるあらゆるデバイスを接続することができる。
【０００６】
その結果、家の中の様々な種類のデバイスを１つの装置で制御する制御装置であるリモコンで制御しようとすると、リモコンは多数のデバイスに対応するＧＵＩが搭載され、家の中の多数の全てのデバイスがリストアップされてしまう。
【０００７】
これでは、目的とするデバイスのＧＵＩを選択して操作するのに、デバイスの選定をせねばならず、多数の手順を必要としてしまい、大変わずらわしく、手間と時間がかかるという問題があった。
【０００８】
例えば、子供部屋にいてテレビをコントロールしようとする場合にも、寝室やリビングのテレビを制御する為の多数のＧＵＩがリモコン上に表示され、大変混乱を招く。また、子供部屋のテレビを特定し、制御するまでに、多くの操作をする必要があり、大変な手間をかけなければならなかった。
【０００９】
この問題を回避する為に、デバイスや制御装置に位置検出装置を取り付け、デバイスや制御装置の位置情報により、リモコンに表示される情報を制限しようとするものがある（例えば、特許文献１参照。）。
【００１０】
この提案により、デバイスとリモコンの位置を検知し、リモコンの位置により、リコモンがある場所にふさわしいデバイスのＧＵＩを表示することができるようになる。例えば、子供部屋へリモコンを持っていくと、子供部屋のテレビを操作するＧＵＩが表示されて、直ぐに子供部屋のテレビが操作できる。また、寝室にリモコンを持っていくと、寝室のテレビを操作するＧＵＩが表示されて、直ぐに寝室のテレビが操作できるというように大変便利になり、操作の手間が大幅に低減できる。
【００１１】
【特許文献１】特開２００４−１３９５８７号公報
【発明の開示】
【発明が解決しようとする課題】
【００１２】
特許文献１は、位置情報に合わせて、提供される情報が変化するという発明であり、リモコンがある場所により適切なＧＵＩを表示することができる。
ところが、該リモコンでは、位置、即ち部屋を移動するごとに、リモコンのＧＵＩが大きく変化してしまい、人間の感覚は頻繁に変化するＧＵＩに対応することが困難であり、これに人間が対応するために疲労感を覚えてしまう。また、慣れるのに、大変な時間を要するという問題がある。
【００１３】
本発明は、上記の課題に鑑みてなされたものであり、リモコン上のＧＵＩ表示が混乱せず、適切なデバイスを制御することができ、部屋を移動しても、切り換え操作が不要で、手間を省いて大幅に効率的にデバイスを制御することを可能とする制御装置及び方法、及びプログラムを提供することを目的とする。
【課題を解決するための手段】
【００１４】
本発明の制御装置は、ネットワークによって接続された複数のデバイスを制御するリモコンの制御装置であって、前記ネットワークで接続された前記複数のデバイスの中から、前記デバイスの条件と前記リモコンの条件とにより前記リモコンで操作できる対象の前記デバイスを選定する選定手段と、前記選定の結果に応じて制御状態を変化させる制御手段とを備える。
【００１５】
本発明の制御方法は、ネットワークによって接続された複数のデバイスを制御するリモコンの制御方法であって、前記ネットワークで接続された前記複数のデバイスの中から前記デバイスの条件と前記リモコンの条件とによって前記リモコンで操作できる対象の前記デバイスを選定する工程と、前記選定の結果に応じて制御状態を変化させる工程とを備える。
【発明の効果】
【００１６】
本発明によれば、家の中にネットワークで接続された多数のデバイスが存在した場合でも、制御するリモコン上にはリモコンの位置によって適切なデバイスを選定する為、リモコン上のＧＵＩ表示が混乱せず、適切なデバイスを制御することができ、また、部屋を移動しても、デバイスが適切に切り替わる為、切り換え操作が不要で、手間を省いて大幅に効率的にデバイスを制御することが可能となる。
【００１７】
また、部屋や位置と直接関連をもたないデバイスを操作するＧＵＩを設けることによって、位置関係とは関係なく、これらのデバイスを呼び出すことができ、操作性が大幅に向上する。
【００１８】
また、現在リモコンがある部屋以外のデバイスを操作するＧＵＩを設けることによって、位置関係とは関係なく、これらのデバイスを呼び出すことができ、操作性が大幅に向上する。
【００１９】
また、リモコンは、位置情報だけでなく、デバイスのスペックや性能、状態によって制御する対象となるデバイスを選出することにより、ユーザはデバイス選択の手間から開放され、すばやく適切なデバイスの制御に移ることができ、操作性が大きく向上する。
【発明を実施するための最良の形態】
【００２０】
（第１の実施形態）
以下、図面を参照して本発明の好適な実施形態を詳細に説明する。図１は本発明に係る第１の実施形態の制御装置およびデバイスのハードウェア構成を示すブロック図である。
制御装置およびデバイスのハードウェア構成は共に共通である。
同図において、１はＣＰＵであり、各種処理のための演算、論理判断等を行い、バス７に接続された各構成要素を制御する。
【００２１】
２は無線部であり、制御装置またはデバイスがネットワークと情報を無線で交換する。
３は情報（データ）をユーザに表示、ユーザの情報を入力するための入力出力部である。
３としては、タッチパネルつきＬＣＤやキーボードとＣＲＴ等のディスプレイ等がある。
４は赤外線受光部である。
【００２２】
家の各部屋には赤外線発光装置が取り付けてあり、各部屋に取り付けられた赤外線発光装置が各部屋ごとに異なるコードによって赤外光を発光する。発光した赤外線は、各制御装置および各デバイスの赤外線受光部によって受信され、これによって、各制御装置および各デバイスは位置を知ることが出来る。
【００２３】
本実施形態では、デバイスおよびリモコンの位置検出に赤外光を使用したが、位置の特定が出来るものであれば何でも良く、電波などを利用しても良い。
５はプログラムメモリであり、後述する処理手順を含むＣＰＵ１による制御のためのプログラムを格納するメモリである。
プログラムメモリ５は、ＲＯＭであってもよいし、外部記憶装置等からプログラムがロードされるＲＡＭであってもよい。
【００２４】
６はデータメモリであり、各種処理で生じたデータを格納する。データメモリ６は、例えば、ＲＡＭとするが、不揮発な外部記憶媒体から、処理に先立ってロードしておく、あるいは必要があるごとに参照するものとする。
【００２５】
７はＣＰＵ１の制御の対象とする各構成要素を指示するアドレス信号、各構成要素を制御するためのコントロール信号、各構成要素間で相互にやりとりされるデータの転送を行うためのバスである。
【００２６】
図２は、本実施形態のホーム内のシステム概観図である。
２０１はリビング、２０２はキッチン、２０３は寝室の各部屋を表している。
２０７は本発明の実施形態であるリモコンである。
２０８は本発明のデバイスである照明である。
２０９は本発明のデバイスであるテレビである。
２１０は本発明のデバイスであるビデオである。
２１１は本発明のデバイスである電子レンジである。
２１２は本発明のデバイスである冷蔵庫である。
２１３は本発明のデバイスであるエアコンである。
【００２７】
各デバイスおよびリモコンは無線LANの送受信装置を備えており、無線LANアンテナ２０５およびLANルーター２０６を介して通信を行うことが出来る。
【００２８】
また、各部屋には赤外線発光装置２０４が取り付けられている。各部屋に置かれた２０８〜２１３のデバイスおよびリモコン２０７には赤外線受光装置が取り付けられている。各部屋で発光する赤外線発光装置はコードが異なっており、各部屋のデバイスおよびリモコンが各部屋で赤外線受光装置が発光する赤外線を受信することにより、各デバイスおよびリモコンはどの部屋に位置するのかを認識することが出来る。
【００２９】
図３は、本発明によるリモコンのGUIの例である。タッチパネルが装備されたLCD表示になっている。
本実施形態では、テレビデバイス301、ビデオデバイス３０２、エアコンデバイス３０３、照明デバイス３０４のGUIから構成されているが、他のデバイスのGUIが並んでいても良い。
【００３０】
リモコンおよび各デバイス、さらに各部屋には、無線ＬＡＮのアンテナが装備されており、リモコンのＧＵＩによって指示された操作は無線ＬＡＮを介してデバイスを制御する。
本実施形態では、無線LANによってデバイスとの通信を行っているが、通信が行えるものであれば何でも良く、電力線による通信でも構わない。
【００３１】
リモコンを各部屋に移動してもGUIの表示は変わることがないが、リモコンの操作の対象となるデバイスが、部屋を移動するに切り替える。
例えば、リビングにリモコンがあるときは、テレビデバイスのGUIであるチャンネルや音量を操作すると、リビングにあるテレビが操作対象となり、テレビが制御される。
【００３２】
寝室にリモコンを移動した場合には寝室にあるテレビが操作対象に切り替わり、寝室のテレビが制御される。
同様にリビングにリモコンがあり、エアコンのGUIを操作したときはリビングのエアコンが制御されるが、キッチンにリモコンを移動しエアコンのGUIを操作したときはキッチンのエアコンが制御されるようになる。
【００３３】
但し、ビデオはリビングにあるがキッチンにはない。
リビングにリモコンがあり、ビデオのGUIを操作したときはリビングのビデオが制御されるが、キッチンにリモコンを移動しビデオのGUIを操作したときは引き続きリビングのビデオが制御される。
【００３４】
図４は、これらの一連のリモコンの動作を表したフローチャートである。
S401ではリモコンの赤外線受光部により部屋に照射される赤外光を受光する。
赤外光は部屋によってコードが異なっており、これによりリモコンはどの部屋にあるのかを検知することが出来る。
【００３５】
S402にてリモコンが部屋を移動したことを知ると、S403にて部屋内のデバイスのディスカバリを行う。
S404にてデバイスの切り換えを行う。
S402にて部屋を移動していない場合、S405にてGUIの操作をされていない場合は、S401へ戻る。
GUIの操作が行われた場合は、S404にて切り替わったデバイスに対して、S406にて対応するデバイスの制御を行う。
【００３６】
（第２の実施形態）
本実施形態の制御装置のハードウェア構成は、第１の実施形態と同様の図１である。また、本実施形態のホーム内のシステム概観図も、第１の実施形態と同様の図２である。
本実施形態のリモコンのＧＵＩ画面を図５に示す。
実施形態１の図３のＧＵＩ図に対して、共通デバイス５０１のボタンおよびその他部屋のボタン５０２が拡張されている。
【００３７】
本実施形態では、共通ボタンとしてビデオサーバボタン５０３と監視カメラボタン５０４がある。
ビデオサーバデバイスと監視カメラは共に、部屋と直接関連付けられておらず、いずれの部屋からも使用が要望されるデバイスである。
従って、常時、呼び出すことが出来るＧＵＩを設けることにより、使用効率が大幅に向上する。
【００３８】
本実施形態では、その他の部屋のボタンとしてキッチンボタン５０５と寝室ボタン５０６がある。
キッチンと寝室は共に、現在リモコンがある部屋とは別の部屋であるが、他の部屋のデバイスを使用した場合もあり得る。
従って、他の部屋のデバイスを使用するＧＵＩを設けることにより、使用効率が大幅に向上する。
【００３９】
図６は、これらの一連のリモコンの動作を表したフローチャートである。
S601ではまず、ネットワーク全体、つまり家全体のデバイスをスキャンし、ディスカバリを行う。
そして、後ほど、ディスカバリされたデバイス群の中からデバイスの選定を行う。実施形態1では部屋を指定してから特定の部屋のディカバリだけを行ったが、この実施形態２のように家全体のディカバリを行ってからデバイスの選定を行ってもよい。
S602では、他の部屋のボタン５０２の中のキッチンのボタン５０５のボタンまたは寝室のボタン５０６が押されたかどうかを検出する。
【００４０】
これらのボタンが押された場合は、S503にてその部屋のデバイスに限定する。
例えば、キッチンが押された場合はキッチンのデバイスに限定する。寝室が押された場合は寝室のデバイスに限定する。
【００４１】
S604にてリモコンが制御するデバイスをそれらの限定されたデバイスに切り替える。
S602にて他の部屋のボタンが押されていない場合はS605にてGUIの操作を検出する。
GUI操作が検出された場合はS606で対応するデバイスを制御する。
S605にてGUI操作が検出できなかった場合は、S602に戻る。
リモコンの赤外線受光部により部屋に照射される赤外光を受光する。
【００４２】
赤外光は部屋によってコードが異なっており、これによりリモコンはどの部屋にあるのかを検知することが出来る。
S402にてリモコンが部屋を移動したことを知ると、S403にて部屋内のデバイスのディスカバリを行う。S404にてデバイスの切り換えを行う。
【００４３】
（第３の実施形態）
本実施形態では、リモコンが制御対象とするデバイスを位置情報だけでなく、デバイスの状態によって選択する例について説明する。
本実施形態の制御装置のハードウェア構成は、第１の実施形態と同様の図１である。また、本実施形態のホーム内のシステム概観図も、第１の実施形態と同様の図２である。
【００４４】
リビングと寝室にビデオデバイスが設置されており、リビングにてリモコンを用いてビデオの録画動作をしようとした場合、第２の実施形態と同等であればリビングのビデオが操作対象として選択している。
【００４５】
ところが、リビングのビデオデッキが録画中などで使用している場合、図７の701の警告を出して、ビデオデッキが使用中であり、録画操作が行いないことを通知し、また、寝室のビデオが現在使用していないことを検知し、ユーザに寝室のビデオデッキを代わりに使用しても良いかの指示を仰ぐ。
【００４６】
ユーザがキャンセルを押すと、操作が中止されるが、OKを押すとリビングにいながら、ビデオの操作対象を寝室のビデオに切り換えて、録画動作を行ことができる。
【００４７】
図８は、これらの一連のリモコンの動作を表したフローチャートである。
第２の実施形態と同様、S801では家のネットワーク全体のデバイスのディスカバリを行う。
S802にて他の部屋のボタンが押された場合は、S803にて指定された部屋のデバイスに限定し、S804にてデバイスを切り替える。
S805にてGUIを操作を検出し、操作がなければS802に戻る。
S805にてGUIの操作を検出して、あればS806にうつる。S806にて対象となるデバイスが使用可能な場合、S811にてデバイスを制御する。
【００４８】
S806にて制御対象とするデバイスが現在使用中などで目的の操作が行えない場合、S807にて代替になるデバイスを検出し、S808にてダイアログを表示する。
ダイアログのキャンセルボタンが押された場合は、S809にてS802に戻る。
ダイアログのＯＫボタン押された場合は、S810にて検出したデバイスに切り換え、S811にてデバイスを制御する。
【００４９】
（第４の実施形態）
本実施形態では、リモコンが制御対象とするデバイスを位置情報だけでなく、デバイスの性能やスペックによって選択する例について説明する。
本実施形態の制御装置のハードウェア構成は、第１の実施形態と同様の図１である。
また、本実施形態のホーム内のシステム概観図も、第１の実施形態と同様の図２である。
【００５０】
リビングと寝室にそれぞれテレビデバイスが設置されており、寝室にてリモコンを用いて寝室のビデオを用いて寝室のテレビで再生動作をしようとした場合、第２の実施形態と同様のシステムであれば、寝室のビデオの画像が寝室のテレビで再生を行う。
【００５１】
ところが、再生しようとした画像がハイビジョン画質の録画映像であり、なおかつ、寝室のテレビは標準の録画映像は再生できるがハイビジョン画質ではなく、また、リビングのテレビはハイビジョン画質で再生が可能であった場合に以下のようになる。本実施形態では、より映像が鮮明に干渉できるように、ディカバリで検出されたデバイスの中からスペックや性能を比較し、最もスペックの高いものを推奨するという特徴を有する。
【００５２】
本実施形態では、図９のダイアログを表示し、キャンセルか、寝室のテレビにて表示するか,リビングのテレビにて表示するかの選択をユーザに行わせることができる。
図１０は、これらの一連のリモコンの動作を表したフローチャートである。
第２の実施形態と同様、S1001では家のネットワーク全体のデバイスのディスカバリを行う。
【００５３】
S1002にて他の部屋のボタンが押された場合は、S1003にて指定された部屋のデバイスに限定し、S1004にてデバイスを切り替える。
S1005にてGUIを操作を検出し、操作がなければS1002に戻る。
S1005にてＧＵＩの操作を検出して、あればS1006にうつる。S1006にて制御仕様としているデバイスと対等のデバイスを検出する。
【００５４】
ユーザが寝室のテレビを制御対象としていれば、リビングのテレビもリストアップしておく。
Ｓ1007にて図９のダイアログを表示して、この部屋のテレビでも再生できるが、リビングの部屋のテレビの方がより高画質なハイビジョン画質で干渉できる旨を伝え、ユーザにキャンセルをするか、この部屋のテレビを使用するか、リビングのテレビを使用するかを選択させる。キャンセルならＳ1002に戻る。
【００５５】
この部屋のテレビで見ることを選んだ場合、S1010にて寝室のテレビを制御する。
S1008にてリビングのテレビで見ることを選んだ場合には、S1009にてデバイスをリビングのテレビに切り換え、S1010でリビングのデバイスを制御する。
【００５６】
第４の実施形態による作用は次の通りである。
デバイスおよびデバイスを制御するリモコンは、無線ＬＡＮネットワークで接続されており、ＵＰｎＰによってコントロールポイントを有するリモコンとデバイスの接続が行われる。リモコンは各デバイスを制御する為のＧＵＩを装備しており、ネットワークを介してデバイスを制御することが出来る。
【００５７】
家の各部屋には、赤外線を照射する装置がついており、各部屋によって、赤外線のコードが異なっている。
各デバイスおよびリモコンには赤外線受光部が設けられており、各部屋の赤外線を受信することにより、各デバイスおよびリモコンは家のどの部屋に位置しているかを取得することが出来る。
【００５８】
各デバイスおよびリモコンの位置検出には、赤外線を用いず、無線ＬＡＮのサブネットを各部屋別に分ける方法を用いても良い。
リモコンは、部屋の位置情報とディカバリにより検出されたデバイスに問い合わせることによって得られるデバイスの位置情報から、同じ部屋のデバイスを選択する。
【００５９】
リモコンのタッチパネルを伴ったＬＣＤ表示画面にはテレビ、エアコン、照明などを制御する為のＧＵＩを持っている。
リモコンのＧＵＩは、部屋を移っても変わらず同じＧＵＩを表示しているようにする。
同じＧＵＩをした場合でも、リモコンが位置する場所によって、制御対象は切り替わるようにする。
【００６０】
リモコンの操作の対象となるデバイスが、部屋を移動するに連れて変化するようにする。
例えば、リビングにリモコンがあるときは、テレビデバイスのGUIであるチャンネルや音量を操作すると、リビングにあるテレビが操作対象となり、テレビが制御される。
寝室にリモコンを移動した場合には寝室にあるテレビが操作対象に切り替わり、寝室のテレビが制御される。
【００６１】
なお、図４のS401〜S406、図６のS601〜S606、図８のS801〜S811、図１０のS1001〜S1010の各ステップ等についてのプログラムコードは、コンピュータのＲＡＭやＲＯＭなどに記憶されたプログラムが動作することによって実現できる。このプログラム及び当該プログラムを記録したコンピュータ読み取り可能な記憶媒体は本発明の実施形態に含まれる。
【００６２】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、上記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００６３】
また、コンピュータが供給されたプログラムを実行することにより上述の実施形態の機能が実現されるだけでなく、以下の場合にも、かかるプログラムは本発明の実施形態に含まれる。当該プログラムがコンピュータにおいて稼働しているＯＳ（オペレーティングシステム）あるいは他のアプリケーションソフト等と共同して上述の実施形態の機能が実現される場合、供給されたプログラムの処理の全てあるいは一部がコンピュータの機能拡張ボードや機能拡張ユニットにより行われて上述の実施形態の機能が実現される場合等である。
【図面の簡単な説明】
【００６４】
【図１】本発明に係る制御装置のハードウェア構成を示すブロック図である。
【図２】本発明に係る制御装置のホーム内のシステム概観図である。
【図３】本発明に係る制御装置のＧＵＩ図である。
【図４】本発明に係る制御装置のフローチャートである。
【図５】本発明に係る制御装置のＧＵＩ図である。
【図６】本発明に係る制御装置のフローチャートである。
【図７】本発明に係る制御装置のＧＵＩ図である。
【図８】本発明に係る制御装置のフローチャートである。
【図９】本発明に係る制御装置のＧＵＩ図である。
【図１０】本発明に係る制御装置のフローチャートである。
【符号の説明】
【００６５】
1 ＣＰＵ
2 無線部
3 入出力部
4 赤外線受光部
5 プログラムメモリ
6 データメモリ
7 バス
201 リビング
202 キッチン
203 寝室
204 赤外線発光装置
205 LANアンテナ
206 LANルーター
207リモコン
208照明デバイス
209テレビデバイス
210 ビデオデバイス
211 電子レンジ
212 冷蔵庫
213 エアコン
301 テレビデバイスのGUI
302 ビデオデバイスのGUI
303 エアコンデバイスのGUI
304 照明デバイスのGUI
501 共通デバイスボタン
502 その他の部屋ボタン
701 警告ダイアログ
901 警告ダイアログ
【図１】
2007282044.tif 000003
【図２】
2007282044.tif 000004
【図３】
2007282044.tif 000005
【図４】
2007282044.tif 000006
【図５】
2007282044.tif 000007
【図６】
2007282044.tif 000008
【図７】
2007282044.tif 000009
【図８】
2007282044.tif 000010
【図９】
2007282044.tif 000011
【図１０】
2007282044.tif 000012